(57)【要約】　　　（修正有）【課題】積重したカード入れ部が、放射状に展開しても挿入中のカード等が不意に離脱しないようにした。【解決手段】重合した表紙部１及び裏表紙部２よりはみ出さない形状の透明又は半透明の塩化ビニール資材製等の上方に挿入開口部７を有し、且開口部と反対の水平状底部８より若干上方の部位に挿入カード等を停止せしめるストッパー部９を設けたカード入れ部６を表紙部と裏表紙部との間に、複数枚同一方向に積重し、積重したカード入れ部の底部の隅部に設けた挿入孔と裏表紙部に形成した嵌挿孔とに止め具１０を嵌挿してカード入れ部を放射状にして、且展開自在に支持せしめると共に、表紙部の表面の上方に留め部材を取着し、裏表紙部の上方端部に延設した突出部１３の裏面１４に留め部材１５を取着し、表紙部の留め部材に突出部の留め部材とを介して両表紙部を保持せしめた。【選択図】　  図３
0003099858.tif 000002
【実用新案登録請求の範囲】
【請求項１】
展開したり、或は２つ折りにして重合可能な塩化ビニール資材製等の連接し、且同形状の表紙部及び裏表紙部と、前記重合した表紙部及び裏表紙部よりはみ出さない形状の透明又は半透明の塩化ビニール資材製等の上方に挿入開口部を有し、且前記開口部と反対の水平状底部より若干上方の部位に挿入カード等を停止せしめるストッパー部を設けたカード入れ部を前記の表紙部と裏表紙部との間に、複数枚同一方向に積重し、積重したカード入れ部の前記底部の隅部に設けた挿入孔と裏表紙部に形成した嵌挿孔とに止め具を嵌挿してカード入れ部を放射状にして、且展開自在に支持せしめると共に、前記表紙部の表面の上方に留め部材を取着し、裏表紙部の上方端部に延設した突出部の裏面に留め部材を取着し、前記表紙部の留め部材に前記突出部の留め部材とを介して両表紙部を保持せしめたことを特徴とするカード入れ。
【請求項２】
展開したり、或は２つ折りにして重合可能な硬質合成樹脂資材製等の連接し、且同形状の表紙部及び裏表紙部と、前記重合した表紙部及び裏表紙部よりはみ出さない形状の透明又は半透明の塩化ビニール資材製等の上方に挿入開口部を有し、且前記開口部と反対の水平状底部より若干上方の部位に挿入カード等を停止せしめるストッパー部を設けたカード入れ部を前記の表紙部と裏表紙部との間に、複数枚同一方向に積重し、積重したカード入れ部の前記底部の隅部に設けた挿入孔と裏表紙部に形成した嵌挿孔とに止め具を嵌挿してカード入れ部を放射状にして、且展開自在に支持せしめると共に、前記表紙部の上方内側部に水平状の細長孔を、前記細長孔より若干上方の前記表紙部の左側縁部に切欠部を夫々設け、前記裏表紙部の上方端部に前記細長孔に挿入する挿込み部を有し、且前記挿込み部が前記細長孔に挿入したとき前記細長孔の左側端部に係止する切欠係止部を延設し、前記表紙部の細長孔に前記挿込み部を挿入せしめて両表紙部を保持せしめたことを特徴とするカード入れ。
【請求項３】
前記カード入れ部の底部の隅部に設けた挿入孔を、前記底部の左側隅部とすることを特徴とする請求項１又は請求項２記載のカード入れ。
【考案の詳細な説明】
【技術分野】
【０００１】
本考案は、複数枚積重したカード入れ部内に収納したテレホンカード、レンタルカード、メンバーズカード、ポイントカード、プリペイドカード、診察券、保険証、免許証等が放射状に展開しても容易に落下もしくは飛出のおそれがなく、さらに表紙部と裏表紙部との接着が中入れカード入れ部を左右両サイドからのはみ出しを阻止し、しかも確実に保持すると共に、表紙部と裏表紙部との解除をワンタッチ式で行うことができるカード入れの分野に関するものである。
【背景技術】
【０００２】
　従来のカード入れとして、実公平４−１５０５６号実用新案公報がある。
【０００３】
　前記カード入れは、複数枚積重するカード入れ部のカード等を挿入する開口挿入部の一端部を若干突出し、孔を開け止め具を嵌挿し裏表紙部に前記カード入れ部が放射状にして、且展開自在に支持せしめていたが、放射状に展開した際、稍もすると一部の前記カード入れ部から挿入中のカード等が不意に飛出したりあるいは落下するおそれがあった。
【０００４】
　さらに従来のカード入れは、両表紙部の左右両サイドからバンド部を介して前記両表紙部を保持していたので、カード入れ部が揺動するおそれがあった。
【０００５】
　また前記従来開示のカード入れは、表紙部と裏表紙部との保持手段としてマジックテープ等を貼着したバンド部を介して処理していたので、一々マジックテープ等をカード入れ全体を握持する手指と反対側の手指で離脱していた。
【特許文献１】実公平４−１５０５６実用新案公報
【考案の開示】
【考案が解決しようとする課題】
【０００６】
　本考案のカード入れは、従来技術の種々の問題点を解消すべく、積重したカード入れ部が、放射状に展開しても挿入中のカード等が不意に離脱しないように、カード入れ部の構造とカード入れ部の止め手段を工夫した。
【０００７】
　さらに本考案のカード入れは、両表紙部間に保持されている複数のカード入れ部が揺動するのを阻止するために、両表紙部の２つ折りにした底部と反対側の上方端部とを留め部材を介して、カード等が挿入するカード入れ部を確実に保持すると共に、カード入れを握持している手指で、握持したまま親指で接着している裏表紙部に延設する留め部材を押上げ、両表紙部を簡単にして且迅速に分離できるようにした。
【０００８】
　また本考案のカード入れは、前記のマジックテープ等を使用した留め部材方式とは別個に、カード入れを左手指で握持したまま、握持している手指の親指で押圧するだけのワンタッチ方式で両表紙部の保持状態を解除できるようにした。
【課題を解決するための手段】
【０００９】
　請求項１記載の考案のとおり、展開したり、或は２つ折りにして重合可能な塩化ビニール資材製等の連接し、且同形状の表紙部及び裏表紙部と、前記重合した表紙部及び裏表紙部よりはみ出さない形状の透明又は半透明の塩化ビニール資材製等の上方に挿入開口部を有し、且前記開口部と反対の水平状底部より若干上方の部位に挿入カード等を停止せしめるストッパー部を設けたカード入れ部を前記の表紙部と裏表紙部との間に、複数枚同一方向に積重し、積重したカード入れ部の前記底部の隅部に設けた挿入孔と裏表紙部に形成した嵌挿孔とに止め具を嵌挿してカード入れ部を放射状にして、且展開自在に支持せしめると共に、前記表紙部の表面の上方に留め部材を取着し、裏表紙部の上方端部に延設した突出部の裏面に留め部材を取着し、前記表紙部の留め部材に前記突出部の留め部材とを介して両表紙部を保持せしめたことを特徴とするカード入れにした。
【００１０】
　請求項２記載の考案のとおり、展開したり、或は２つ折りにして重合可能な硬質合成樹脂資材製等の連接し、且同形状の表紙部及び裏表紙部と、前記重合した表紙部及び裏表紙部よりはみ出さない形状の透明又は半透明の塩化ビニール資材製等の上方に挿入開口部を有し、且前記開口部と反対の水平状底部より若干上方の部位に挿入カード等を停止せしめるストッパー部を設けたカード入れ部を前記の表紙部と裏表紙部との間に、複数枚同一方向に積重し、積重したカード入れ部の前記底部の隅部に設けた挿入孔と裏表紙部に形成した嵌挿孔とに止め具を嵌挿してカード入れ部を放射状にして、且展開自在に支持せしめると共に、前記表紙部の上方内側部に水平状の細長孔を、前記細長孔より若干上方の前記表紙部の左側縁部に切欠部を夫々設け、前記裏表紙部の上方端部に前記細長孔に挿入する挿込み部を有し、且前記挿込み部が前記細長孔に挿入したとき前記細長孔の左側端部に係止する切欠係止部を延設し、前記表紙部の細長孔に前記挿込み部を挿入せしめて両表紙部を保持せしめたことを特徴とするカード入れにした。
【００１１】
　請求項３記載の考案のとおり、前記カード入れ部の底部の隅部に設けた挿入孔を、前記底部の左側隅部とすることを特徴とする請求項１又は請求項２記載のカード入れにした。
【考案の効果】
【００１２】
　請求項１記載の考案は、展開したり、或は２つ折りにして重合可能な塩化ビニール資材製等の連接し、且同形状の表紙部及び裏表紙部と、前記重合した表紙部及び裏表紙部よりはみ出さない形状の透明又は半透明の塩化ビニール資材製等の上方に挿入開口部を有し、且前記開口部と反対の水平状底部より若干上方の部位に挿入カード等を停止せしめるストッパー部を設けたカード入れ部を前記の表紙部と裏表紙部との間に、複数枚同一方向に積重し、積重したカード入れ部の前記底部の隅部に設けた挿入孔と裏表紙部に形成した嵌挿孔とに止め具を嵌挿してカード入れ部を放射状にして、且展開自在に支持せしめると共に、前記表紙部の表面の上方に留め部材を取着し、裏表紙部の上方端部に延設した突出部の裏面に留め部材を取着し、前記表紙部の留め部材に前記突出部の留め部材とを介して両表紙部を保持せしめたカード入れなので、両表紙部間に介在する積重するカード入れ部が放射状に展開しても、挿入中の種々のカード等が不意に飛出したり、あるいは落下したりしない利点がある。
【００１３】
　さらに本考案のカード入れは、カード入れ部からのカード等の取出しあるいは収納が終了した後、両表紙部に取着した留め部材同士をきつくしたり、あるいは若干弱めて合致すると両表紙部がカード入れ部を揺動させずに確実に保持できる。
【００１４】
　また本考案のカード入れは、両表紙部の留め部材が、表紙部と裏表紙部とを２つ折りにする底部と反対側の前記表紙部の表面に留め部材を、他方裏表紙部の突出部の裏面にも留め部材を取着し、これら両留め部材を介して両表紙部を保持する保持手段としたので、左手で本考案のカード入れを握持しながら、前記裏表紙部の突出部の端縁部を親指で引掛け上方向に押上げるだけで保持状態を極めて簡単且確実に解除できる。
【００１５】
請求項２記載の考案は、展開したり、或は２つ折りにして重合可能な硬質合成樹脂資材製等の連接し、且同形状の表紙部及び裏表紙部と、前記重合した表紙部及び裏表紙部よりはみ出さない形状の透明又は半透明の塩化ビニール資材製等の上方に挿入開口部を有し、且前記開口部と反対の水平状底部より若干上方の部位に挿入カード等を停止せしめるストッパー部を設けたカード入れ部を前記の表紙部と裏表紙部との間に、複数枚同一方向に積重し、積重したカード入れ部の前記底部の隅部に設けた挿入孔と裏表紙部に形成した嵌挿孔とに止め具を嵌挿してカード入れ部を放射状にして、且展開自在に支持せしめると共に、前記表紙部の上方内側部に水平状の細長孔を、前記細長孔より若干上方の前記表紙部の左側縁部に切欠部を夫々設け、前記裏表紙部の上方端部に前記細長孔に挿入する挿込み部を有し、且前記挿込み部が前記細長孔に挿入したとき前記細長孔の左側端部に係止する切欠係止部を延設し、前記表紙部の細長孔に前記挿込み部を挿入せしめて両表紙部を保持せしめたカード入れなので、カード入れを左手で握持したまま、親指を切欠部に被覆する挿込み部の左側縁部を軽く押し続けると切欠係止部が細長孔から離れ、前記挿入部が前記細長孔から抜け出し、両表紙部の保持状態が極めて簡単に解除できる。
【００１６】
　請求項３記載の考案は、前記カード入れ部の底部の隅部に設けた挿入孔を、前記底部の左側隅部とするカード入れなので、カード入れ部は前記カード入れ部の底部の左側隅部を支点に放射状にして、且展開自在に支持されて両表紙部の保持状態が解除されても、カード入れ部に挿入中のカード等が不意には抜け出したりしない。
【考案を実施するための最良の形態】
【００１７】
　本考案の請求項１〜３記載の考案に関する実施の形態に関し以下のとおり一括して説明する。
【００１８】
ａは、第一実施例のカード入れであり以下の構成からなっている。１は塩化ビニール資材製等の表紙部１、２は裏表紙部であり、両表紙部１、２は展開したり、２つ折りにして重合可能な形状をしている。３は前記両表紙部１、２を２つ折りした際に形成される底部である。さらに両表紙部１、２の内側面４には、耐磁性保護フィルム製シートを貼着する。
【００１９】
　６は前記両表紙部１、２よりはみ出さない形状をした透明又は半透明の塩化ビニール資材製等の上方に挿入開口部７を有し、且前記開口部７と反対の水平状底部８より若干上方の部位に挿入カードを停止せしめるストッパー部９を設けた耐磁性保護フィルム製カード入れ部である。
【００２０】
　前記ストッパー部９は、通常前記底部８と平行状に形成する。
【００２１】
前記カード入れ部６の底部８の隅部に挿入孔を設けるが、前記挿入孔は通常左側隅部にして、しかも前記ストッパー部９の部位より若干下方のカード入れ部６の底部８に設ける。
【００２２】
さらに前記裏表紙部２の下方底部の左側方の隅部に、積重したカード入れ部６が前記両表紙部１、２に介在した際、前記カード入れ部６の挿入孔と合致する嵌挿孔を設ける。
【００２３】
　積重した前記カード入れ部６の挿入孔と裏表紙部２の嵌挿孔とを合致させ、止め具１０を嵌挿して、前記カード入れ部６を支持する。前記のように支持された積重カード入れ部６は、放射状にして、且展開自在に支持される。
【００２４】
　前記表紙部１の表面１１の上方に留め部材１２を取着する。
【００２５】
　さらに前記裏表紙部２の上方端部に延設して突出部１３を形成すると共に、前記突出部１３の裏面１４に前記留め部材１２と接着する別個の留め部材１５を取着する。
【００２６】
　前記のように積重したカード入れ部６を前記両表紙部１、２からはみ出さないようにセットした後、前記突出部１３を図面図示のように折曲し前記表紙部１の表面に密着させると、両留め部材１２、１５が接着し、前記カードいれ部６を保持する。前記止め具１０を挿入するカード入れ部６の嵌挿孔及び裏表紙部２の嵌挿孔は、前記した実公平４−１５０５６実用新案公報のものと同じである。　　　　
【００２７】
　つぎに本考案カード入れの第２実施例のカード入れｂについて説明する。　　　　　
【００２８】
　前記カード入れｂの構造上の要部は、積重カード入れ部６を保持する表紙部１６の細長孔１９に裏表紙部１７を延設して形成の挿込み部１８を挿入して係止すると共に、係止状態にある裏表紙部１７を左手の親指で軽く押圧するだけのワンタッチ方式で両表紙部１６、１７の保持状態を解除できる点である。
【００２９】
前記カード入れｂを構成する表紙部１６と裏表紙部１７とは、展開したり、或は２つ折りにして重合可能な硬質合成樹脂資材製の連接し、且同形状をしている。
【００３０】
　さらに前記両表紙部１６、１７が重合した際、はみ出さない形状の透明又は半透明の塩化ビニール資材製等の上方に挿入開口部７を有し、且前記開口部７と反対の水平状底部８より若干上方の部位に挿入カード等を停止するストッパー部９を設ける。
【００３１】
　そして前記カード入れ部６の下方底部８の左側隅部に前記ストッパー部９より若干下方の部位に挿入孔を形成する。従ってこのカード入れ部６を積重すると、前記挿入孔は一致する。
【００３２】
　さらに前記表紙部１６の上方内側部に水平状の細長孔１９を形成する。また前記細長孔１９より若干上方の前記表紙部１６の左側縁部２０に切欠部２１を形成する（図４，５）。
【００３３】
　他方裏表紙部１７の上方端部に、前記細長孔１９に挿入する挿込み部２２を延設する。前記挿込み部２２が細長孔１９に挿入した際、前記細長孔１９の左側端部に係止する切欠係止部２３を形成する。また前記挿込み部２２は、右側方を先端部方向に行くに従って幅員が狭くなる傾斜部２４を形成する。従って細長孔１９に挿込み部２２が挿入したときは、前記切欠係止部２３が、前記細長孔１９の左側端部と嵌合し、挿込み部２２が前記切欠部２１を被覆し、前記表紙部１６と前記挿込み部２２が重合する。
【００３４】
　前記複数のカード入れ部６は、前記カード部６に形成の挿入孔と裏表紙部１７の下方底部２５の隅部２６に設けた嵌挿孔と合致させ、止め具１０を介して放射状にして、且展開自在に支持する。
【００３５】
　前記カード入れ部６の挿入孔と裏表紙部１７の嵌挿孔は、図面上表わしていないが、従来開示の実公平４−１５０５６実用新案公報に記載されているものと同じなので記号を付しての具体的説明は省略した。
【００３６】
　前記カード入れｂを図４の状態から図５の状態にするには、カード入れｂを左手指に握持したまま、親指で切欠部２１を被覆する挿込み部１８を押圧する。さらに親指で押圧し続けると、細長孔１９から挿込み部１８が抜け出し、図６に示す状態となる。　
【００３７】
さらにカード入れｂを図４に図示する状態にするには、細長孔１９に挿込み部１８を挿入するだけである。
【図面の簡単な説明】
【００３８】
【図１】本考案カード入れの第１実施例を示す正面図である。
【００３９】
【図２】図１のカード入れを構成する裏表紙部の延設する突出部を展開した状態の正面図である。
【００４０】
【図３】図１のカード入れのカード入れ部を放射状に展開した状態の展開正面図である。
【００４１】
【図４】第２実施例のカード入れの正面図である。
【００４２】
【図５】図４のカード入れの展開開始直前の状態を示す正面図である。
【００４３】
【図６】図５からカード入れ部を放射状に展開した状態の正面図である。
【符号の説明】
【００４４】
ａ      カード入れ
ｂ　　　カード入れ
１　　　表紙部
２　　　裏表紙部
３　　　底部
４　　　内側面
６　　　カード入れ部
７　　　挿入開口部
８　　　底部
９　　　ストッパー部
１０　　止め具
１１　　表面
１２　　留め部材
１３　　突出部
１４　　裏面
１５    留め部材
１６　　表紙部
１７　　裏表紙部
１８　　挿込み部
１９　　細長孔
２０　　左側縁部
２１　　切欠部
２２　　挿込み部
２３　　係止部
２４　　傾斜部
２５　　下方底部
２６　　隅部
【図１】
0003099858.tif 000003
【図２】
0003099858.tif 000004
【図３】
0003099858.tif 000005
【図４】
0003099858.tif 000006
【図５】
0003099858.tif 000007
【図６】
0003099858.tif 000008